(57)【要約】【課題】吸収性物品を使用準備する際に生じる音をより低減できる吸収性物品の外装体を提供する。【解決手段】吸収性物品１００を包装する外装体１０は、前記吸収性物品１００を包む１以上のシート１４ｆ，１４ｂを含む本体部１２と、前記１以上のシート１４ｆ，１４ｂに取り付けられる線状体であって、前記外装体１２の構成要素を破壊することなく、前記外装体１２を封止した封止状態から開封した開封状態に変化させることができる１以上の線状体と、を備える。例えば、前記１以上の線状体は、前記重なり合った２以上のシート１４ｆ，１４ｂを縫い合わせることで前記重なりあった２以上のシート１４ｆ，１４ｂの動きを規制する１以上の縫合線状体２０を含む。【選択図】図１
2019064696.tif 000002
【特許請求の範囲】
【請求項１】
吸収性物品を包装する外装体であって、
前記吸収性物品を包む１以上のシートを含む本体部と、
前記１以上のシートに取り付けられる線状体であって、前記外装体の構成要素を破壊することなく、前記外装体を封止した封止状態から開封した開封状態に変化させることが可能な１以上の線状体と、
を備える、ことを特徴とする吸収性物品の外装体。
【請求項２】
請求項１に記載の吸収性物品の外装体であって、
前記線状体は、前記シートに１箇所以上で貫通している、ことを特徴とする吸収性物品の外装体。
【請求項３】
請求項１または２に記載の吸収性物品の外装体であって、
前記本体部は、互いに重なり合った２以上のシートを含み、
前記線状体は、前記重なり合った２以上のシートを縫い合わせることで前記重なりあった２以上のシートの動きを規制する１以上の縫合線状体を含み、
前記縫合線状体の少なくとも一端は、縫い目を通過可能となっており、前記縫合線状体の他端を引っ張ることで前記縫い目を解くことができる、
ことを特徴とする吸収性物品の外装体。
【請求項４】
請求項３に記載の吸収性物品の外装体であって、
前記縫合線状体は、引き抜く際の開始部となる抜去開始部を有しており、
前記抜去開始部から前記縫合線状体の端部までの縫い目は、一直線状である、ことを特徴とする吸収性物品の外装体。
【請求項５】
請求項１または４に記載の吸収性物品の外装体であって、
前記線状体には、指で摘まれる、または、指が係止される把持部が設けられている、ことを特徴とする吸収性物品の外装体。
【請求項６】
請求項１から５のいずれか１項に記載の吸収性物品の外装体であって、
前記本体部は、前記吸収性物品を収容するとともに収容された前記吸収性物品を取りだすための取出開口が形成された袋状部材であり、
前記線状体は、前記取出開口の周縁に沿って前記シートに摺動可能に取り付けられ、両端を引っ張ることで前記周縁近傍のシートを収縮させて前記取出開口を閉鎖する摺動線状体を含む、
ことを特徴とする吸収性物品の外装体。
【請求項７】
請求項６に記載の吸収性物品の外装体であって、
前記摺動線状体は、前記周縁に沿って前記シートに縫われている、ことを特徴とする吸収性物品の外装体。
【請求項８】
請求項１から７のいずれか１項に記載の吸収性物品の外装体であって、
前記線状体は、前記シートの外周囲に巻き付けられ、前記シートを絞ることで前記シートの動きを規制する１以上の巻回線状体を含む、ことを特徴とする吸収性物品の外装体。
【請求項９】
請求項８に記載の吸収性物品の外装体であって、
前記巻回線状体は、前記シートに巻き付けられた後、解除可能に結ばれる、ことを特徴とする吸収性物品の外装体。
【請求項１０】
請求項９に記載の吸収性物品の外装体であって、
前記外装体は、前記吸収性物品をシートで巻くとともに、前記吸収性物品の両側位置において前記シートを前記巻回線状体で巻いて結んだキャンディ包みとなっている、ことを特徴とする吸収性物品の外装体。
【請求項１１】
請求項１から１０のいずれか１項に記載の外装体であって、
前記線状体の色は、前記１以上のシートの色と非同系色である、ことを特徴とする吸収性物品の外装体。
【請求項１２】
請求項１から１１のいずれか１項に記載の外装体と、
前記外装体に包装された吸収性物品と、
を備える、ことを特徴とする包装済吸収性物品。
【発明の詳細な説明】
【技術分野】
【０００１】
本明細書は、体液等を吸収する吸収性物品を包装する外装体、および、当該外装体で包装された包装済吸収性物品を開示する。
【背景技術】
【０００２】
従来から、体液を吸収する吸収性物品が広く知られている。こうした吸収性物品としては、例えば、生理用ナプキン、生理用タンポン、パンティライナー、失禁パッド、脇汗パッド、おむつ等がある。こうした吸収性物品の多くは、個別包装されている。そして、使用時には、当該吸収性物品を包装している外装体を開封して、吸収性物品を外装体から取り出す必要がある。従来の外装体の多くは、当該外装体を開封する際に、外装体を構成するシート材を破断（破壊）したり、シート材同士を接合する接着剤を剥離（破壊）したりする必要があった。すなわち、従来の外装体は、開封するために、その構成要素（シート材、接着剤等）を破壊する必要があった。
【０００３】
例えば、特許文献１には、シート状である包装材を二つ折りにして吸収性物品を包むとともに、この二つ折りにした包装材の間、かつ、周縁に接着剤を塗布した糸状の開封手段を配置し、この開封手段（糸状部材）で二つ折りにした包装材の周縁を封止した包装構造が開示されている。そして、特許文献１では、吸収性物品を取りだす際には、開封手段を引っ張って、当該開封手段と包装材との接着部を剥離（接着剤を破壊）している。
【０００４】
また、特許文献２には、生理用ナプキンを収容した円筒形の外装体の外周面に、長手方向に切り口を形成するとともに、当該切り口に糸を封入した、すなわち、切り口を意図で縫い合わせた外装体が開示されている。そして、特許文献２では、生理用ナプキンを取りだす際には、糸を引っ張って、切り口を開いている。
【先行技術文献】
【特許文献】
【０００５】
【特許文献１】特開平９−１５４８７９号公報
【特許文献２】特開平６−１４２１３６号公報
【発明の概要】
【発明が解決しようとする課題】
【０００６】
ここで、吸収性物品は、いずれも、プライバシー性が高く、使用していることを他者に知られたくないという要望がある。しかしながら、上述した通り、従来の外装体の多くは、開封するにあたって、外装体の一部を破壊する必要があり、開封時に比較的大きな音が出やすかった。その結果、外装体の開封音により、吸収性物品の使用が他者に知られやすいという問題があった。かかる問題は、公衆トイレや職場のトイレのように、他者も使用するトイレで吸収性物品の使用準備を行う際に、特に大きな問題であった。
【０００７】
そこで、本明細書では、吸収性物品を使用準備する際に生じる音をより低減できる吸収性物品の外装体、および、包装済吸収性物品を開示する。
【課題を解決するための手段】
【０００８】
本明細書で開示する吸収性物品を包装する外装体は、前記吸収性物品を包む１以上のシートを含む本体部と、前記１以上のシートに取り付けられる線状体であって、前記外装体の構成要素を破壊することなく、前記外装体を封止した封止状態から開封した開封状態に変化させることが可能な１以上の線状体と、を備えることを特徴とする。
【０００９】
かかる構成とすることで、外装体の構成要素を破壊することなく、外装体を開封できる。その結果、吸収性物品を使用準備する際に生じる音をより低減できる。
【００１０】
また、前記線状体は、前記シートに１箇所以上で貫通していてもよい。
【００１１】
かかる構成とすることで、シートと線状体とが分離しにくくなるため、意図しない開封を防止できるとともに外装体を廃棄する手間を簡易化できる。
【００１２】
前記本体部は、互いに重なり合った２以上のシートを含み、前記線状体は、前記重なり合った２以上のシートを縫い合わせることで前記重なりあった２以上のシートの動きを規制する１以上の縫合線状体を含み、前記縫合線状体の少なくとも一端は、縫い目を通過可能となっており、前記縫合線状体の他端を引っ張ることで前記縫い目を解くことができてもよい。
【００１３】
かかる構成とすることで、縫合線状体を引き抜くだけで外装体を開封できるため、吸収性物品を使用準備する際に生じる音をより低減できる。
【００１４】
この場合、前記縫合線状体の縫い目は、一直線状であってもよい。また、前記線状体の前記他端には、指で摘まれる、または、指が係止される把持部が設けられていてもよい。
【００１５】
かかる構成とすることで、線状体や縫合線状体をより容易に引き抜くことができる。
【００１６】
また、前記本体部は、前記吸収性物品を収容するとともに収容された前記吸収性物品を取りだすための取出開口が形成された袋状部材であり、前記線状体は、前記取出開口の周縁に沿って前記シートに摺動可能に取り付けられ、両端を引っ張ることで前記周縁近傍のシートを収縮させて前記取出開口を閉鎖する摺動線状体を含んでもよい。
【００１７】
かかる構成とすることで、外装体は、巾着袋状になる。そして、この場合、シートを、摺動線状体に沿って伸縮させることで、外装体の構成要素を破壊することなく、外装体を開閉できる。結果として、吸収性物品を使用準備する際に生じる音をより低減できる。
【００１８】
この場合、前記摺動線状体は、前記周縁に沿って前記シートに縫われていてもよい。また、前記本体部は、前記取出開口の周縁に沿って延びる通路を有しており、前記摺動線状体は、前記通路に挿通されていてもよい。
【００１９】
かかる構成とすることで、シートに対して摺動する摺動線状体を容易に実現できる。
【００２０】
また、前記線状体は、前記シートの外周囲に巻き付けられ、前記シートを絞ることで前記シートの動きを規制する１以上の巻回線状体を含んでもよい。
【００２１】
かかる構成とすることで、外装体は、巻回線状体の巻回を解除することで、外装体の構成要素を破壊することなく、外装体を開閉できる。結果として、吸収性物品を使用準備する際に生じる音をより低減できる。
【００２２】
この場合、前記巻回線状体は、前記シートに巻き付けられた後、解除可能に結ばれてもよい。
【００２３】
結ばれることで、外装体の意図しない開封を防止できる。
【００２４】
また、前記外装体は、前記吸収性物品をシートで巻くとともに、前記吸収性物品の両側位置において前記シートを前記巻回線状体で巻いて結んだキャンディ包みとなっていてもよい。
【００２５】
これによって、吸収性物品を包んだ状態を維持することができる。
【００２６】
ここで、前記線状体の色は、前記１以上のシートの色と非同系色であってもよい。
【００２７】
かかる構成とすることで、線状体の視認性が高まり、開封動作をより容易に行える。
【００２８】
本明細書で開示する包装済吸収性物品は、上述の外装体と、当該外装体に包装された吸収性物品と、を備える。
【発明の効果】
【００２９】
本明細書で開示する外装体によれば、外装体の構成要素を破壊することなく、外装体を開封できる。その結果、吸収性物品を使用準備する際に生じる音をより低減できる。
【図面の簡単な説明】
【００３０】
【図１】包装済吸収性物品の斜視図である。
【図２】他の包装済吸収性物品の正面図である。
【図３】他の形態の包装済吸収性物品の包装途中を示す斜視図である。
【図４】図４に示す包装済吸収性物品を包装した際の正面図である。
【図５】他の形態の包装済吸収性物品の開封状態を示す正面図である。
【図６】図５に示す包装済吸収性物品の封止状態を示す正面図である。
【図７】他の形態の包装済吸収性物品の包装途中を示す斜視図である。
【図８】図７に示す包装済吸収性物品の包装途中を示す斜視図である。
【図９】図７に示す包装済吸収性物品を包装した際の斜視図である。
【図１０】他の形態の包装済吸収性物品を開封した際の正面図である。
【図１１】図１０に示す包装済吸収性物品を封止した際の正面図である。
【発明を実施するための形態】
【００３１】
以下、吸収性物品１００の外装体１０および包装済吸収性物品１１０について図面を参照して説明する。図１は、包装済吸収性物品１１０の概略斜視図である。この包装済吸収性物品１１０は、吸収性物品１００を、外装体１０で包装したものである。吸収性物品１００は、体液を吸収するものであれば、特に限定されず、例えば、生理用ナプキン、パンティライナー、失禁パッド、おむつ、脇汗パッドなどが該当する。以下では、吸収性物品１００が、生理用ナプキンである場合を例に挙げて説明する。
【００３２】
図１の例では、吸収性物品１００は、略矩形に折り畳まれた状態で、外装体１０に収容され、包装されている。吸収性物品１００を使用する際、ユーザは、外装体１０を開封して、吸収性物品１００を取りだす。また、使用済みの吸収性物品１００を、新規の吸収性物品１００と交換する際には、使用済みの吸収性物品１００は、新規の吸収性物品１００を包装していた外装体１０で包んで、廃棄することができる。
【００３３】
外装体１０は、吸収性物品１００を包む本体部１２と、当該本体部１２を封止する１以上（図示例では２つ）の縫合線状体２０と、を有している。本体部１２は、シート状の部材で構成される。ここで、以下の説明では、同じシート状の部材であっても、材料、素材を意味する場合は「シート材」と呼び、本体部１２の面を構成する部位を意味する場合は「シート」と呼ぶ。したがって、図１に示す本体部１２は、一枚のシート材を、二つ折りにして構成されており、吸収性物品１００は、折り重なった二枚のシート、すなわち、前面シート１４ｆおよび背面シート１４ｂの間に挟まれていると言える。ただし、図１で示した本体部１２の構成は、一例であり、適宜、変更されてもよい。例えば、本体部１２は、２以上のシート材を組み合わせて形成されてもよい。
【００３４】
本体部１２を構成するシート材は、特に限定されないが、取り扱う際に、音が生じにくいシート材であることが望ましい。したがって、本体部１２を構成するシート材は、柔軟性が高く、コシの弱いもの、例えば、樹脂フィルムや、不織布シート等であることが望ましい。また、本体部１２を構成するシート材は、使用済みの吸収性物品１００を包装することもあるため、防水性を有することも望ましい。また、縫合線状体２０の意図しない抜け落ちを防止するために、不織布シートや、樹脂フィルムの少なくとも一部に摩擦係数を高める処理（例えばグリップニスの塗布等）が施されていてもよい。なお、シート１４の摩擦係数が低い場合には、縫合線状体２０の意図しない抜け落ちを防止するために、後述する抜去開始部２０ｃに、何らかの抜け落ち防止機構、例えば、玉結びや、把持部２２等を設けることが望ましい。
【００３５】
本体部１２は、一枚のシート材を二つ折りにしているため、略矩形の本体部１２の４辺１６ａ〜１６ｄのうち１辺１６ａは、輪となっており、閉鎖されている。また、本体部１２の４辺１６ａ〜１６ｄのうち、輪の辺１６ａに隣接する一辺１６ｂは、熱溶着または、接着剤等により接合されており、閉鎖されている。一方、本体部１２の４辺１６ａ〜１６ｄのうち、残りの２辺１６ｃ，１６ｄは、接合されておらず、吸収性物品１００を取りだすための取出開口２４を構成する。
【００３６】
この取出開口２４は、１本の縫合線状体２０で封止されている。縫合線状体２０は、重なり合った２枚のシート１４ｆ，１４ｂを、取出開口２４に沿って縫い合わせた線状体である。縫合線状体２０は、比較的柔らかい線状の部材、例えば、比較的短い繊維を撚り合わせた糸、樹脂や絹のように長く連続した繊維であるフィラメント、短繊維とフィラメントとを混合させた混合糸、および、これらを組んだり、絡めたり、編んだりしてなる紐、幅を有した布であるリボン、樹脂フィルム等のシート材を帯状に成形した帯状体等である。また、縫合線状体２０の色は、視認性を高めるために、シート１４ｆ，１４ｂの色と非同系色であることが望ましく、さらには、反対色であることがより望ましい。
【００３７】
この縫合線状体２０で、２枚のシート１４ｆ，１４ｂが、重なり合った状態のまま縫い合わされることで、取出開口２４が封止され、吸収性物品１００の飛び出しが防止される。換言すれば、縫合線状体２０は、シート１４ｆ、１４ｂに１箇所以上で貫通している。縫合線状体２０による縫いは、裏も表も同じ針目で真っ直ぐに縫う、いわゆる「並縫い」となっている。ただし、必要に応じて、裏と表の針目は、適宜、変更されてもよく、例えば、裏面における針目と表面における針目が、大きく異なっていてもよい。
【００３８】
縫合線状体２０は、後述する通り、縫い目を解くために、縫合線状体２０のうち抜去開始部２０ｃを引っ張ることで、シート１４ｆ，１４ｂから引き抜かれる。そのため、この縫合線状体２０の引き抜きを容易にするために、この針目は、粗め、例えば、１ｃｍ以上、より望ましくは、２ｃｍ以上となっている。また、縫合線状体２０の引き抜きを容易にするために、抜去開始部２０ｃから縫合線状体２０の端部２０ｂまでの縫い目は、一直線状であることが望ましい。したがって、図２に示すように、互いに交差する２辺１６ｃ，１６ｄに沿って取出開口２４が存在する場合には、２辺１６ｃ，１６ｄのコーナー部に縫い目の弛み部を抜去開始部２０ｃとして形成しておき、この抜去開始部２０ｃから縫合線状体２０の端部２０ｂまで直線状の縫い目となることが望ましい。ただし、当然ながら、縫合線状体２０を引き抜くことが出来るのであれば、抜去開始部２０ｃから縫合線状体２０の端部２０ｂまでの縫い目は、途中で曲がってもよい。
【００３９】
既述した通り、図１の例では、縫合線状体２０によって、辺１６ｂに沿った並縫いがされた後、辺１６ｂと辺１６ｃとのコーナー周辺で、大きな弛み（抜去開始部２０ｃ）が形成され、その後、辺１６ｃに沿って並縫いがされる。かかる構成とすることで、１箇所の抜去開始部２０ｃを引っ張るだけで、２辺１６ｂ，１６ｃを開封することができ、大きな取出し開口を容易に形成できる。この縫合線状体２０の端部２０ｂは、止められることなく（玉結び等されることなく）、すなわち、縫い目を通過可能な状態のまま、縫い終わりから、数ｃｍ延びている。一方、抜去開始部２０ｃには、当該縫合線状体２０を引き抜く際に指を引っ掛ける、あるいは、指で摘むための把持部２２が形成されている。この把持部２２は、図１に示すように、抜去開始部２０ｃにおいて、縫合線状体２０をループ状に結んで形成されてもよいし、図２（ａ）に示す用に、縫合線状体２０よりも幅広の別部材（例えばタックシール等）を、当該縫合線状体２０の抜去開始部２０ｃに固着して形成されてもよい。また、把持部２２は、縫合線状体２０を玉結びして形成されてもよいし、縫合線状体２０を部分的に大径または幅広にすることで形成されてもよい。
【００４０】
吸収性物品１００を取りだすために、外装体１０を開封する際には、この縫合線状体２０の抜去開始部２０ｃ（把持部２２）を引っ張って、縫合線状体２０を、シート１４ｆ，１４ｂから抜き取る（縫い目を解く）。縫合線状体２０が、シート１４ｆ，１４ｂから抜き取られることで、縫い合わされた二枚のシート１４ｆ，１４ｂが互いに離間できるようになり、この二枚のシート１４ｆ，１４ｂの間の取出開口２４が開く。すなわち、外装体１０の封止が解除される。
【００４１】
ここで、この封止解除の際、縫合線状体２０は、シート１４ｆ，１４ｂから抜き取られるだけであり、シート材の破壊（破断）や接着剤の剥離（接着剤の破壊）は、生じない。そのため、本明細書で開示する外装体１０によれば、開封時に、シート材および接着剤の破壊音が生じず、開封音を小さく抑えることができる。結果として、この開封動作を、公衆トイレや職場のトイレ等で行ったとしても、吸収性物品１００を使用していることが、他者に分かりにくく、プライバシーを高く保つことができる。
【００４２】
なお、ここで説明した外装体１０の構成は、一例であり、適宜変更されてもよい。例えば、図１では、本体部１２の２辺１６ｃ，１６ｄに取出開口２４を設けているが、図２（ａ）に示すように、輪の辺１６ａと交差する２辺１６ｂ，１６ｄにおいては、重なり合う２枚のシート１４ｆ，１４ｂを互いに接合して閉鎖し、輪の辺１６ａと対向する１辺１６ｃにのみ、取出開口２４を設ける構成としてもよい。この場合、当然ながら、縫合線状体２０による縫い目は、この取出開口２４が設けられた１辺１６ｃに沿って形成される。そして、この場合、当該縫合線状体２０の一端、または、両端が、抜去開始部２０ｃとなる。図示例では、縫合線状体２０の一端を、抜去開始部２０ｃとし、この抜去開始部２０ｃにタックシール等からなる把持部２２を取り付けている。
【００４３】
また、別の形態として、図２（ｂ）に示すように、輪の辺１６ａ以外の辺１６ｂ〜１６ｄは、全て、取出開口２４とし、この取出開口２４が設けられた３辺１６ｂ〜１６ｄに沿って、縫合線状体２０による縫い目を形成してもよい。この場合、縫合線状体２０を１本だけとすると、抜き取りが困難となりやすいため、縫合線状体２０は、２本、または、３本（図示例では３本）とすることが望ましい。
【００４４】
また、把持部２２は、適宜、省略されてもよく、図２（ｂ）に示すように、縫合線状体２０の全ての端部２０ｂが、縫い目に通過可能となっていてもよい。かかる構成とすることで、好きな方向から縫合線状体２０を引っ張ることができ、右利き、左利きいずれのユーザにとっても使いやすくなる。ただし、この場合、縫合線状体２０が、意図せずに抜け落ちることがあるため、シート１４には、摩擦係数が高い処理（グリップニスの塗布等）が施されていることが望ましい。
【００４５】
次に、他の形態について図３、図４を参照して説明する。図３は、吸収性物品１００を外装体１０で包装する途中の様子を示すイメージ図であり、図４は、包装済吸収性物品１１０の正面図である。図３に示す通り、外装体１０は、１枚のシート材からなる本体部１２を有する。シート材は、図１で例示した形態と同様に、音が生じにくいシート材、例えば樹脂フィルムや不織布シート等からなる。
【００４６】
シート材は、吸収性物品１００を包んだ状態で、折り畳まれる。具体的には、図３に示すように、シート材は、その上面に吸収性物品１００を配置した状態で、その幅方向両端が重なるように、巻き三つ折りされる。以下では、図３において、吸収性物品１００の上側に位置するシート部分を内側シート１４ｉと呼び、下側に位置するシート部分を外側シート１４ｏと呼ぶ。したがって、図３において、吸収性物品１００は、内側シート１４ｉと外側シート１４ｏにより挟まれていると言える。
【００４７】
そして、この状態になれば、本体部１２を、吸収性物品１００ごと、その長手方向略中央位置において、内側シート１４ｉが内側になるように、二つ折りにする。すなわち、図３において、本体部１２を、一点鎖線で示した折り線Ｌに沿って、谷折りする。
【００４８】
本体部１２を構成するシート材を、巻き三つ折りした後、二つ折りすると、本体部１２は、図４に示すように、外側シート１４ｏが外側に見える略矩形となる。縫合線状体２０は、二つ折りの輪の辺１６ａと反対側の辺１６ｂに沿って、重なっている複数のシート１４ｏ，１４ｉを縫い合わせている。縫い合わされることにより、重なっている複数のシート１４ｏ，１４ｉの動きが規制される。そして、これら複数のシート１４ｏ，１４ｉの動きが規制されることで、シート材は、巻き三つ折りした後二つ折りされた状態、換言すれば、吸収性物品１００を包んだ状態を維持し続ける。
【００４９】
縫合線状体２０は、図１で例示した形態と同様に、比較的柔らかい、糸、フィラメント、混合糸、紐、リボン、帯状部材等からなる。図示例では、縫合線状体２０は、ある程度の幅を有したリボンまたは帯状部材である。また、縫合線状体２０は、長手方向の端辺１６ｂに沿って、粗めの並み縫いされており、少なくとも終端２０ｂは、縫い目を通過可能となっている。
【００５０】
吸収性物品１００を取りだす際には、この縫合線状体２０の端部に設けられた抜去開始部２０ｃを引っ張って、縫い目を解く。ここで、この抜去開始部２０ｃにおいて、縫合線状体２０には、把持部２２として機能する局所的な幅広部が設けられている。この把持部２２を引っ張って、縫い目を解くことにより、シート１４ｏ，１４ｏの動きが許容され、シート材の包みを広げることができる。そして、シート材を広げることで、当該シート材に包まれていた吸収性物品１００を取りだすことができる。
【００５１】
以上の説明から明らかな通り、図３、図４に示す形態でも、外装体１０の封止を解除する際、縫合線状体２０は、シート１４ｏ，１４ｉから抜き取られるだけであり、シート材の破壊（破断）や接着剤の剥離（接着剤の破壊）は、生じない。そのため、この外装体１０によれば、開封音を小さく抑えることができ、プライバシーを高く保つことができる。
【００５２】
次に、他の形態について図５、図６を参照して説明する。図５、図６は、包装済吸収性物品１１０の概略正面図であり、図５は、開封状態を、図６は、封止状態を、それぞれ示している。
【００５３】
外装体１０は、１以上のシート材からなる本体部１２を備える。本体部１２を構成するシート材は、上述した例と同様に、柔らかいシート材、例えば、樹脂フィルムや不織布シートである。この本体部１２は、図５に示すように、その一端に取出開口２４が形成された袋状部材である。吸収性物品１００は、袋状の本体部１２の内部に収容されており、取出開口２４から取り出される。
【００５４】
本体部１２のシート１４ｆ，１４ｂには、この取出開口２４の周縁に沿って摺動可能な摺動線状体２８が取り付けられている。具体的には、摺動線状体２８は、取出開口２４の周縁近傍において、シート１４ｆ，１４ｂに並縫いされている。つまり、摺動線状体２８は、その一部が、シート１４ｆ、１４ｄに貫通していると言える。ただし、この摺動線状体２８は、図１〜図４の例と異なり、複数のシート１４ｆ，１４ｂを「縫い合わせる」ものではなく、単一のシート１４ｆまたは１４ｂに並縫いされている。換言すれば、略環状の取出開口２４の周縁に沿うように、摺動線状体２８の縫い目も略環状となっている。摺動線状体２８の両端部２０ｂは、互いに、結ばれている。なお、摺動線状体２８は、図１で例示した形態と同様に、比較的柔らかい、糸、フィラメント、混合糸、紐、リボン、帯状部材等からなる。
【００５５】
かかる摺動線状体２８は、その両端２０ｂをシート１４ｆ，１４ｂから離れる方向に引っ張ることで、シート１４ｆ，１４ｂに対して摺動できる。そして、これにより、縫い目周辺のシート１４ｆ，１４ｂは、図６に示すように、収縮し、取出開口２４を閉鎖する。すなわち、外装体１０が、封止された状態となる。この外装体１０の封止を解除したい場合には、当該シート１４ｆ，１４ｂの収縮を解消するように、取出開口２４周辺のシート１４ｆ，１４ｂを幅方向に引っ張ればよい。これにより、取出開口２４は、開放され、吸収性物品１００の出し入れが可能となる。
【００５６】
以上の説明から明らかな通り、本形態によれば、外装体１０は、摺動線状体２８に沿ってシート１４ｆ，１４ｂが伸縮し、これにより、取出開口２４が開閉する巾着袋状となっている。そして、本形態の外装体１０によれば、外装体１０の封止を解除する際には、シート１４ｆ，１４ｂが、摺動線状体２８に沿って伸長するだけであり、シート材の破壊（破断）や接着剤の剥離（接着剤の破壊）は、生じない。そのため、この外装体１０によれば、開封音を小さく抑えることができ、プライバシーを高く保つことができる。
【００５７】
次に、他の形態について図７〜図９を参照して説明する。図７〜図９は、包装済吸収性物品１１０の概略斜視図であり、図７、図８は、包装途中の様子を、図９は、包装されて封止された状態を、それぞれ示している。図７、図８に示す通り、外装体１０は、１枚のシート材からなる本体部１２を有する。シート材は、図１で例示した形態と同様に、音が生じにくいシート材、例えば樹脂フィルムや不織布シート等からなる。
【００５８】
シート材は、吸収性物品１００を包んだ状態で、折り畳まれる。具体的には、シート材は、その上面に吸収性物品１００を配置した状態で、その幅方向両端が重なるように、巻き三つ折りされる。これにより、吸収性物品１００は、シート材で完全に覆われた状態となる。以下では、図８において、吸収性物品１００の上側に位置するシート部分を上側シート１４ｕと呼び、下側に位置するシート部分を下側シート１４ｄと呼ぶ。
【００５９】
そして、この状態になれば、吸収性物品１００の長手方向両側位置において、本体部１２の外周囲に巻回線状体３２を巻き付けて結び、シートを絞る。巻回線状体３２は、図１で例示した形態と同様に、比較的柔らかい、糸、フィラメント、混合糸、紐、リボン、帯状部材等からなる。巻回線状体３２は、伸縮性を有してもよく、例えば、伸縮性を有した樹脂フィルム（オレフィン系・パラフィン等）からなる帯状部材としてもよい。また、巻回線状体３２の結び方は、特に限定されないが、容易に解ける結び方、例えば、蝶結び等であることが望ましい。なお、巻回線状体３２は、少なくとも１箇所以上において、シート１４ｕ，１４ｄに貫通している。本例では、図７に示すように、下側シート１４ｄに、巻回線状体３２が貫通している。
【００６０】
吸収性物品１００の両側位置において、本体部１２を構成するシート１４ｕ，１４ｄを、巻回線状体３２で結んで絞ることで、外装体１０全体としては、図９に示すような、いわゆる、キャンディ包みの状態となる。このとき、本体部１２を構成するシート１４ｕ，１４ｄは、巻回線状体３２で縛られて、その動きが規制されるため、吸収性物品１００を包んだ状態が維持される。つまり、本体部１２が、封止された状態となる。
【００６１】
吸収性物品１００を取り出したい際には、巻回線状体３２を解けばよい。巻回線状体３２が解かれることで、シート１４ｕ，１４ｄの動きが許容され、シート１４ｕ，１４ｄを広げることができる。そして、シート１４ｕ，１４ｄを広げることで、シート１４ｕ，１４ｄ内部に収容された吸収性物品１００を取りだすことができる。
【００６２】
吸収性物品１００を取りだした後のシート１４ｕ，１４ｄは、使用済みの吸収性物品１００を廃棄するために利用してもよい。すなわち、ユーザは、吸収性物品１００を取りだした後のシート１４ｕ，１４ｄで、使用済みの吸収性物品１００を包むとともに、その包んだ状態を維持するように、巻回線状体３２で、シート１４ｕ，１４ｄの一部を縛ってもよい。そして、この状態で、外装体１０ごと、使用済み吸収性物品１００を廃棄すればよい。
【００６３】
なお、巻回線状体３２を解いた際、この巻回線状体３２とシート材とが完全分離すると、ゴミの点数が増えてしまい、廃棄の手間が増える。そこで、巻回を解除した後も、巻回線状体３２の一部が、シート材に付着した状態を維持できるように、巻回線状体３２は、少なくとも１箇所以上において、シート１４ｄ，１４ｕに貫通している。
【００６４】
いずれにしても、本形態によれば、シート１４ｕ，１４ｄの一部を縛った巻回線状体３２の結び、および、巻回を解除すれば、外装体１０の封止を解除できる。そのため、本形態の外装体１０によれば、外装体１０の封止を解除する際、シート材の破壊（破断）や接着剤の剥離（接着剤の破壊）は、生じない。結果として、この外装体１０によれば、開封音を小さく抑えることができ、プライバシーを高く保つことができる。
【００６５】
なお、図７〜図９で示した形態は、一例であり、巻回線状体３２を、シートの一部に巻き付けて、シートを絞ることで、シートの動きを規制するのであれば、その他の構成でもよい。例えば、図１０、図１１に示すように、本体部１２を、一端に取出開口２４が形成された袋状部材とし、この取出開口２４を、巻回線状体３２で封止するようにしてもよい。具外的には、取出開口２４近傍のシート１４ｆ，１４ｂの外周囲に、巻回線状体３２を巻き付けて、当該シート１４ｆ，１４ｂを絞って、取出開口２４を閉鎖してもよい。この場合、巻回線状体３２は、巻き付けられた後、結ばれてもよいし、結ばれることなく、そのまま垂らされてもよい。巻回線状体３２が、ある程度、摩擦の高い材料から成るのであれば、結ばなくても、複数回、巻きつけることで、巻回状態、ひいては、本体部１２の封止状態を維持できる。吸収性物品１００を取り出す際には、この巻回を解除して、取出開口２４を封止解除すればよい。また、封止解除後に、巻回線状体３２とシート材との分離を防止するために、巻回線状体３２の一部、例えば、一端３２ｂは、前面シート１４ｆまたは背面シート１４ｂに貫通していてもよい。さらに、巻回線状体３２の一端３２ｂは、玉結び等により、シート１４ｆ、１４ｂから抜けないようにしてもよい。
【００６６】
また、これまで説明した構成は、一例であり、外装体は、吸収性物品を包む１以上のシートを含む本体部と、この１以上のシートに取り付けられる線状体であって、外装体の構成要素を破壊することなく外装体を封止状態から開封状態に変化可能な１以上の線状体と、を備えるのであれば、その他の構成は、適宜、変更されてもよい。したがって、本体部の形状や構成は、収容する吸収性物品の形状やサイズ等に応じて、適宜、変更されてもよい。また、１以上のシートに取り付けられる線状体の個数や取付位置、取り付け方法も、適宜、変更されてもよい。例えば、図１では、取出開口２４の辺１６ｃ，１６ｄに沿って長い並縫いを行っているが、こうした「縫い」は、極めて短い距離でもよい。例えば、１〜２針だけ縫った縫合線状体２０（例えば、略Ｌ字状になるよう２針だけ縫った縫合線状体２０）を、辺１６ｃ、１６ｄに沿って、間欠的に複数、設ける構成としてもよい。
【符号の説明】
【００６７】
１０  外装体、１２  本体部、１４  シート、２０  縫合線状体、２２  把持部、２４  取出開口、２８  摺動線状体、３２  巻回線状体、１００  吸収性物品、１１０  包装済吸収性物品。
【図１】
2019064696.tif 000003
【図２】
2019064696.tif 000004
【図３】
2019064696.tif 000005
【図４】
2019064696.tif 000006
【図５】
2019064696.tif 000007
【図６】
2019064696.tif 000008
【図７】
2019064696.tif 000009
【図８】
2019064696.tif 000010
【図９】
2019064696.tif 000011
【図１０】
2019064696.tif 000012
【図１１】
2019064696.tif 000013